【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
あるスライド上の関心のある同じ領域についての異なる走査像を表す少なくとも２つのデータ・ファイルを含むデータベースと、
前記データベースに接続したプロセッサーと、
異なる走査像を表示するために前記プロセッサーに接続したインターフェイスと
を備え、前記プロセッサーは、同じ関心領域の異なる走査像を表す前記データ・ファイルを取得し、走査像を前記インターフェイスに表示して、画像が互いに異なる同じ関心領域の走査像をユーザが同時に見ることができる、スライドの関心領域の２つ以上の走査像を同時に表示することができるスライド・ビューアー。
【請求項２】
前記データベースは、スライド上の同じ関心領域に異なる走査像を表す少なくとも２つのデータ・ファイルを含み、該走査像は、異なる照明及び異なるコントラストの少なくとも１つによる画像である、請求項１に記載のスライド・ビューアー。
【請求項３】
さらに、前記プロセッサーは、前記インターフェイスにスライドの低倍率走査像を表示し、低倍率走査像は、低倍率走査像の様々な座標位置を画定する関連座標マップを有する、請求項１に記載のスライド・ビューアー。
【請求項４】
さらに、前記プロセッサーは、低倍率走査像に重ねられたナビゲーション・ガイドを表示し、かつ、データベースに格納されている走査像のリストであって低倍率走査像上でナビゲーション・ガイドが現在配置されている座標位置に対応する走査像のリストを前記インターフェイスに表示する、請求項３に記載のスライド・ビューアー。
【請求項５】
前記インターフェイスは、ユーザが、表示された低倍率走査像上で、異なる座標位置にナビゲーション・ガイドを動かすことできるようにし、低倍率走査像上でナビゲーション・ガイドの現在の座標位置に対応するデータベースに格納されている走査像のリストを表示し、ナビゲーション・ガイドの現在位置においてスライドに関連付けられた、列挙された走査像からユーザが選択できるようにする、請求項４に記載のスライド・ビューアー。
【請求項６】
前記データベースは、さらに、
低倍率走査像の様々なｘ、ｙ座標を含むヘッダー・ファイルと、
低倍率走査像上の各ｘ、ｙ座標と関連付けられた走査像を表すデータ・ファイルのリストと
を含み、ナビゲーション・ガイドが低倍率走査像上の選択されたｘ、ｙ座標に配置されたときに、前記プロセッサーがヘッダーにアクセスし、前記インターフェイス上のテーブルに、選択されたｘ、ｙ座標と関連付けられた走査像を表示する、請求項４に記載のスライド・ビューアー。
【請求項７】
低倍率走査像は、フラット・ベッド・スキャナーを利用して、低倍率走査像全体が一つのデータ・ファイルになるように作成され、前記プロセッサーは、低倍率走査像を前記インターフェイスに単一走査像として表示する、請求項３に記載のスライド・ビューアー。
【請求項８】
前記データベースは、さらに、スライドの同じ関心領域について異なる倍率で取得された走査像を含むデータ・ファイルを含み、倍率、照明、デジタル情報の提示、及びコントラストの少なくとも１つで互いに異なる、同じ関心領域の走査像をユーザが同時に見ることができるように、前記プロセッサーが、スライドの同じ関心領域について、前記インターフェイスに、倍率、照明、及びコントラストが異なる走査像を表示できる、請求項２に記載のスライド・ビューアー。
【請求項９】
前記少なくとも２つのデータ・ファイルは、異なる走査装置で取得された走査像を表し、データ・ファイルは、共通の座標系で互いに関連付けられて、該走査像が、前記プロセッサーによって表示された場合に、スライドの同じ関心領域に関連付けられることができるようにしている、請求項１に記載のスライド・ビューアー。
【請求項１０】
データ・ファイルの少なくとも１つは、さらに、データ・ファイルに格納された走査像に関連付けられたテキスト情報を含み、前記プロセッサーがデータ・ファイルにアクセスし、データ・ファイルを前記インターフェイス上のテキスト・ボックスに表示する、請求項１に記載のスライド・ビューアー。
【請求項１１】
前記プロセッサーは、ユーザからテキスト情報の入力を受けて、テキストをテキスト・ボックスに表示することができ、さらに、ユーザによって入力されたテキストを走査像に関連付けられたデータ・ファイルに格納することができる、請求項１０に記載のスライド・ビューアー。
【請求項１２】
前記データ・ファイルの少なくとも１つは、さらに、データ・ファイルに格納された走査像に関連したグラフィック情報を含み、前記プロセッサーは、前記インターフェイスに、データ・ファイルに格納された走査像と、データ・ファイルに格納されたグラフィック情報とを表示する、請求項１に記載のスライド・ビューアー。
【請求項１３】
前記プロセッサーは、選択された走査像のフルスクリーン画像を前記インターフェイスに表示して、選択された走査像が実質的にディスプレイを満たすようにする、請求項１に記載のスライド・ビューアー。
【請求項１４】
前記プロセッサーは、ユーザに対してナビゲーション・ガイドを表示し、ユーザのナビゲーション・ガイドとの相互作用に基づいてユーザからの入力を受け、ユーザの入力に基づいてフルスクリーン走査像の表示を操作することができる、請求項１３に記載のスライド・ビューアー。
【請求項１５】
前記プロセッサーは、前記インターフェイスに関心領域の第１走査像を表示し、表示された第１走査像の領域をユーザが選択するのに利用する選択ウィンドウを、前記インターフェイスに表示し、前記選択ウィンドウで画定され、ユーザによって選択された領域内で、前記プロセッサーが該関心領域の第２走査像のピクセル・データを表示して、第１走査像のデータが選択ウィンドウの外側に表示され、第２走査像のデータが選択ウィンドウの内側に表示されるようにする、請求項１に記載のスライド・ビューアー。
【請求項１６】
前記プロセッサーは、基準線を前記インターフェイスに表示し、基準線の一方の側に第１走査像のデータを表示し、基準線の反対の側に第２スライドのデータを表示する、請求項１に記載のスライド・ビューアー。
【請求項１７】
前記プロセッサーは、ユーザの入力に応答して前記インターフェイス上の基準線を移動させ、現在、基準線の反対側に位置する第１走査像の領域が、第２走査像の対応するデータで置き換えられるように、第１走査像及び第２走査像の表示を更新する、請求項１６に記載のスライド・ビューアー。
【請求項１８】
前記プロセッサーは、前記インターフェイスにグラフィック機能を含むツールバーを表示し、ユーザの入力に応答して、グラフィック機能を利用して、前記インターフェイスにグラフィック・イメージを表示する、請求項１に記載のスライド・ビューアー。
【請求項１９】
前記プロセッサーは、ユーザの入力に応答して、独立したファイルに、ユーザが選択した走査像に関する情報を格納し、選択されたファイルのサムネイル・バージョンを前記インターフェイスに表示する、請求項１に記載のスライド・ビューアー。
【請求項２０】
前記データベースは、少なくとも２つの異なるスライドの同じ関心領域についての走査像を表している少なくとも２つのデータ・ファイルを含み、前記走査像が、プロセッサーによって表示された場合に、スライドの同じ関心領域と関連付けられるように、該スライドが関連付けられた情報を画定する共通の座標系で互いに関係付けられ、前記プロセッサーは、異なるスライドの同じ関心領域の走査像を表すデータ・ファイルを関連付けられた情報と共に取り出し、これらの走査像を前記インターフェイスに表示し、ユーザが、少なくとも２つの異なるスライドの同じ関心領域の走査像を関連する情報と共に同時に見ることができるようにする、請求項１に記載のスライド・ビューアー。
【請求項２１】
データベースに、あるスライドの関心のある同じ領域についての異なる走査像を表す少なくとも２つのデータ・ファイルを格納するステップと、
同じ関心領域の異なる走査像を表すデータ・ファイルを取り出すステップと
を含む、スライドの関心領域の走査像を２つ以上同時に表示する方法であって、
さらに、ユーザが、互いに見え方が異なる同じ関心領域の走査像を同時に見ることができるように、走査像をインターフェイスに表示するステップを含む、方法。
【請求項２２】
前記格納するステップでは、データベースに、スライドの同じ関心領域について異なる走査像を表す少なくとも２つのデータ・ファイルを格納し、走査像は、照明が異なる画像及びコントラストが異なる画像の少なくとも１つである、請求項２１に記載の方法。
【請求項２３】
前記表示するステップでは、さらに、スライドの低倍率走査像をインターフェイスに表示し、低倍率走査像は、低倍率走査像の様々な座標位置を画定する関連座標マップを有する、請求項２１に記載の方法。
【請求項２４】
前記表示するステップでは、さらに、低倍率走査像に重ねられたナビゲーション・ガイドを表示し、かつ、インターフェイスに、データベースに格納されている走査像であって、ナビゲーション・ガイドが低倍率走査像上で現在配置されている座標位置に対応する走査像のリストを表示する、請求項２３に記載の方法。
【請求項２５】
ナビゲーション・ガイドを、表示した低倍率走査像上の異なる位置に、ユーザから受けた入力に基づいて移動させるステップをさらに含み、前記表示するステップでは、データベースに格納されている走査像であって、低倍率走査像上でナビゲーション・ガイドの現在の座標位置に対応する走査像のリストを表示し、列挙された走査像からユーザが選択した走査像を表示する、請求項２４に記載の方法。
【請求項２６】
前記格納するステップでは、データベースに、低倍率走査像の様々なｘ、ｙ座標を含むヘッダー・ファイル、及び、低倍率走査像の各ｘ、ｙ座標に関連付けられた走査像を表すデータ・ファイルのリストを格納し、ナビゲーション・ガイドを低倍率走査像の選択されたｘ、ｙ座標上に配置した場合に、前記表示するステップでヘッダーにアクセスし、インターフェイス上のテーブルに選択されたｘ、ｙ座標に関連付けられている走査像を表示する、請求項２５に記載の方法。
【請求項２７】
低倍率走査像は、低倍率走査像全体が１つのデータ・ファイルとなるように、フラット・ベッド・スキャナーを利用して作成され、前記表示するステップでは、低倍率走査像をインターフェイスに単一の走査像として表示する、請求項２３に記載の方法。
【請求項２８】
前記格納するステップは、さらに、データベースに、スライドの同じ関心領域について異なる倍率で取得された走査像を含みデータ・ファイルを格納し、前記表示するステップでは、倍率、照明、デジタル情報の提示、及びコントラストの少なくとも１つで互いに異なる、同じ関心領域の走査像をユーザが同時に見ることができるように、プロセッサーが、スライドの同じ関心領域について、インターフェイスに、倍率、照明、デジタル情報の提示、及びコントラストが異なる走査像を同時に表示できる、請求項２１に記載の方法。
【請求項２９】
少なくとも２つのデータ・ファイルは、異なる走査装置で取得された走査像を表し、前記表示するステップで表示した場合に、走査像をスライドの同じ関心領域と互に関連づけることができるように、データ・ファイルが、共通の座標系で互いに関連付けられている、請求項２１に記載の方法。
【請求項３０】
データ・ファイルの少なくとも一つは、さらに、データ・ファイルに格納された走査像に関連付けられたテキスト情報を含み、前記表示するステップでは、データ・ファイルにアクセスし、テキスト情報をインターフェイス上のテキスト・ボックスに表示する、請求項２１に記載の方法。
【請求項３１】
ユーザからテキスト情報の入力を受けるステップをさらに含み、前記表示するステップでは、テキストをテキスト・ボックスに表示し、前記格納するステップでは、ユーザが入力したテキストを走査像に関連付けられたデータ・ファイルに格納する、請求項３０に記載の方法。
【請求項３２】
データ・ファイルの少なくとも１つは、さらに、データ・ファイルに格納された走査像に関連付けられたグラフィック情報を含み、前記表示するステップでは、インターフェイスに、データ・ファイルに格納された走査像及びデータ・ファイルに格納されたグラフィック情報を表示する、請求項２１に記載の方法。
【請求項３３】
前記表示するステップでは、選択された走査像のフルスクリーン画像をインターフェイスに表示し、選択された走査像が実質的にディスプレイを満たすようにする、請求項２１に記載の方法。
【請求項３４】
前記表示するステップでは、ナビゲーション・ガイドをユーザに対して表示し、前記方法は、さらに、
ユーザのナビゲーション・ガイドとの相互作用によるユーザの入力を受けるステップと、
ユーザの入力に基づいてフルスクリーン走査像の表示を操作するステップと
を含む、請求項３３に記載の方法。
【請求項３５】
前記表示するステップでは、インターフェイスに、関心領域の第１走査像を表示し、かつ、インターフェイスに、表示された第１走査像上の領域をユーザが選択するのに使用する選択ウィンドウを表示し、前記表示するステップでは、選択ウィンドウで画定され、ユーザにより選択された領域内において、該関心領域の第２走査像からのピクセル・データを表示して、第１走査像のデータが選択ウィンドウの外側に表示され、第２走査像のデータが選択ウィンドウの内側に表示されるようにする、請求項２１に記載の方法。
【請求項３６】
前記表示するステップでは、インターフェイスに基準線を表示し、基準線の一方の側に第１走査像のデータを表示し、基準線の反対の側に第２スライドのデータを表示する、請求項２１に記載の方法。
【請求項３７】
ユーザの入力に基づいて基準線を移動させるステップをさらに含み、前記表示するステップでは、現在は基準線の反対側に位置する第１走査像の領域を第２走査像の対応するデータに置き換えるように、第１走査像及び第２走査像の表示を更新する、請求項３６に記載の方法。
【請求項３８】
前記表示するステップは、グラフィック機能を含むツールバーをインターフェイスに表示し、ユーザの入力に応答して、グラフィック機能を用いて、グラフィック・イメージをインターフェイスに表示する、請求項２１に記載の方法。
【請求項３９】
前記格納するステップでは、ユーザの入力に応答して、ユーザが選択した走査像に関連する情報を独立したファイルに格納し、前記表示するステップでは、さらに、選択されたファイルのサムネイル・バージョンをインターフェイスに表示する、請求項２１に記載の方法。
【請求項４０】
前記プロセッサーは、同じ関心領域の異なる照明及び異なるコントラストの少なくとも１つによる走査像をユーザが同時に見ることができるように、同じ関心領域の異なる走査像を表す前記データ・ファイルを取得し、走査像を前記インターフェイスに表示する、ここで、前記走査像は、異なる照明及び異なるコントラストの少なくとも１つによる画像である、請求項２に記載のスライド・ビューアー。
【請求項４１】
前記プロセッサーは、同じ関心領域の異なる照明及び異なるコントラストの少なくとも１つによる走査像をユーザが同時に見ることができるように、同じ関心領域の異なる走査像を表す前記データ・ファイルを取得し、走査像を前記インターフェイスに表示する、ここで、前記走査像は、異なる照明及び異なるコントラストの少なくとも１つによる画像である、請求項２２に記載の方法。